(57)【要約】【課題】  操作が極めて容易な固定装置の提供。【解決手段】  取付け部材（２１）と支持部材（２０）とを互いに対し間隔をおいて固定するための装置は、間隔調整ブッシュ（５）が、ネジシャフト（１５）よりも軟らかいプラスチックによって形成され、及びネジチャネル（１０）の一部を構成しかつネジシャフト（１５）の外径よりも小さい内径を有するチャネル部分（１２）を有することにより、固定ネジ（１４）のネジシャフト（１５）の雄ネジ（１７）によって、調整ブッシュ（５）のチャネル部分（１２）に雌ネジが食込み生成可能であるように構成される。【選択図】  図２
2008524517.tif 000002
【特許請求の範囲】
【請求項１】
取付け部材（２１）と支持部材（２０）とを互いに対し間隔をおいて固定するための装置であって、
前記支持部材（２０）に固定的に結合可能な、第１ネジ方向を有する雌ネジ（９）を備えた取付けナット（１）、
前記取付けナット（１）の前記雌ネジ（９）に適合された雄ネジ（８）を備え、前記取付けナット（１）内に螺合可能な間隔調整ブッシュ（以下「調整ブッシュ」という）（５）、及び
前記取付け部材（２１）と前記調整ブッシュ（５）とを結合するための、硬い材料からなるネジシャフト（１５）を有する固定ネジ（１４）
を含み、
前記ネジシャフト（１５）は、前記第１ネジ方向と反対の第２ネジ方向を有する雄ネジ（１７）を備えると共に、前記取付けナット（１）を貫通するよう形成されかつ前記調整ブッシュ（５）内に形成されたネジチャネル（１０）内に導入可能である形式の装置において、
前記調整ブッシュ（５）は、前記ネジシャフト（１５）よりも軟らかいプラスチックによって形成され、及び前記ネジチャネル（１０）の一部を構成しかつ前記ネジシャフト（１５）の外径よりも小さい内径を有するチャネル部分（１２）を有することにより、前記固定ネジ（１４）の前記ネジシャフト（１５）の前記雄ネジ（１７）によって、前記調整ブッシュ（５）の前記チャネル部分（１２）に雌ネジが食込み生成可能であること
を特徴とする装置。
【請求項２】
前記取付けナット（１）は、前記ネジシャフト（１５）よりも軟らかいプラスチックによって形成され、及び前記ネジチャネル（１０）の一部を構成しかつ前記ネジシャフト（１５）の外径よりも小さい内径を有するチャネル部分（１３）を有することにより、前記固定ネジ（１４）の前記ネジシャフト（１５）の前記雄ネジ（１７）によって、前記取付けナット（１）の前記チャネル部分（１３）に雌ネジが食込み生成可能であること
を特徴とする請求項１に記載の装置。
【請求項３】
前記２つのチャネル部分（１２．１３）は、壁が滑らかに構成されていること
を特徴とする請求項２に記載の装置。
【請求項４】
前記取付けナット（１）は、当該取付けナット（１）のチャネル部分（１３）から当該取付けナット（１）の雌ネジ（９）の領域に軸方向に延在する筒状リング（１８）を備え、該筒状リング（１８）は、前記取付けナット（１）と前記調整ブッシュ（５）とが螺合された状態において、該調整ブッシュ（５）に相補的に形成された筒状リング受容部（１９）に嵌合すること
を特徴とする請求項１〜３の何れか一項に記載の装置。
【請求項５】
前記取付けナット（１）から離隔する側を指向する前記調整ブッシュ（５）の端部に皿状当接部（７）が形成され、該皿状当接部（７）は、少なくとも部分的に半径方向に前記調整ブッシュ（５）の前記雄ネジ（８）を越えて突出していること
を特徴とする請求項１〜４の何れか一項に記載の装置。
【請求項６】
前記取付けナット（１）には、半径方向外方に延在する複数の取付け突出部（４）が形成されていること
を特徴とする請求項１〜５の何れか一項に記載の装置。
【発明の詳細な説明】
【技術分野】
【０００１】
本発明は、請求項１の上位概念による装置に関する。
【背景技術】
【０００２】
この種の装置は、ＤＥ２０１１９１１２Ｕ１から既知である。この既知の装置は、支持部材と固定的に結合可能な取付けナットを有し、取付けナットは、その第１部分に、第１ネジ方向（ネジの回転方向ないしネジ山のラセンの方向）を有する（第１の）雌ネジを備え、その第２部分に、該第１ネジ方向とは反対方向の第２ネジ方向を有する第２の雌ネジを備えている。更に、この既知の装置は、（間隔）調整ブッシュを有し、該調整ブッシュは、取付けナットの第１の雌ネジに対し相補的に構成され、前記第１ネジ方向を有する雄ネジを備えているため、調整ブッシュは、取付けナットの第１の雌ネジに螺合することができる。調整ブッシュは、その取付けナットから離隔する側の端部に駆動手段を備えているため、調整ブッシュは、軸方向に取付けナットを越えて所定の長さだけ突出することができる。更に、取付け部材と調整ブッシュとを固定するために、固定ネジが設けられており、この固定ネジは、前記第２ネジ方向を有する雄ネジを備えかつ取付けナットの第２の雌ネジに対し相補的に構成されたネジシャフトを、調整ブッシュのネジチャネルを貫通させて、取付けナットの第２の雌ネジに螺合することができる。
【特許文献１】ＤＥ２０１１９１１２Ｕ１
【発明の開示】
【発明が解決しようとする課題】
【０００３】
この既知の装置は、支持部材と取付け部材とを互いに対し所定の間隔、例えば公差の調整を可能にする間隔をおいて結合することはできるが、その操作が相当に煩瑣であること、とりわけ特定の用途ではその操作の際に特別の作業工程で調整ブッシュを回転して抜き出さなければならないため相当に煩瑣であることが判明している。
【０００４】
それゆえ、本発明の課題は、極めて簡単に操作可能に構成された冒頭に述べた形式の装置を提供することである。
【課題を解決するための手段】
【０００５】
上記の課題は、本発明の一視点により、冒頭に述べた形式の装置において、請求項１の特徴部の特徴によって解決される。
【発明を実施するための最良の形態】
【０００６】
本発明の装置において、取付けナット及び間隔調整ブッシュ（以下「調整ブッシュ」という）がプラスチックによって形成され、かつネジチャネルがネジシャフトの外径より小さい内径を有する複数のチャネル部分を有することにより、固定ネジが調整ブッシュに形成された（第１の）チャネル部分内に雌ネジを食込み生成（einformen）しながら螺合される際に、まず、調整ブッシュは、取付けナットから離隔する側の調整ブッシュの端部が取付け部材に当接し調整ブッシュの軸方向の更なる運動が阻止されるまで、自動的に、取付けナットから回転しながら抜き出される。固定プロセスが更に進行すると、固定ネジのネジシャフト（の先端）は、第１のチャネル部分から抜け出し、取付けナットに形成された第２のチャネル部分に嵌合（螺合）するため、取付け部材は、支持部材から固定的な（所定の）間隔をおいて配置され、支持部材に固定的に取り付けられる。
【０００７】
本発明の更なる有利な実施形態は従属請求項の対象である。
【０００８】
図面を参照した本発明の実施例の以下の説明から、更なる有利な実施形態及び利点が明らかとなる。
【実施例】
【０００９】
図１は、本発明の装置の一実施例の斜視図である。この装置は、ほぼ円筒状のプラスチック製ナット本体２を備える取付けナット１を有する。ナット本体２の外側（外周部）には、自由空間３（複数）の両側に対をなして互いに向い合うよう配置され半径方向外方に突出（延在）する複数の取付け突出部４が形成されている。
【００１０】
図１は、更に、取付けナット１から（軸方向に）突出する（間隔）調整ブッシュ５を示す。調整ブッシュ５は、同様にほぼ円筒状のプラスチック製ブッシュ本体６と、ブッシュ本体６の一端部に形成されかつ半径方向に関しブッシュ本体６を越えて突出（延在）する皿状当接部（ないし受け部）７とを含んで構成されている。ブッシュ本体６の外側（外周部）には、第１ネジ方向（ネジの回転方向ないしネジ山のラセンの方向）を有する雄ネジ８が形成されている。
【００１１】
図２は、取付け前の状態にある図１の実施例の縦断面図である。この状態では、調整ブッシュ５は、その雄ネジ８が取付けナット１の雌ネジ９に完全に螺合されている。この雌ネジ９は、第１ネジ方向を有するナット本体２の内側（内周部）に、ブッシュ本体６の雄ネジ８に対して相補的に形成されている（即ち、雄ネジ８に螺合可能な雌ネジ９が形成されている。）。
【００１２】
図２から分るとおり、この（実施例の）装置は、調整ブッシュ５のブッシュ本体６を軸方向に貫通して延在するネジチャネル１０を含んで構成され、このネジチャネル１０は、その皿状当接部７を指向する領域に、皿状当接部７から離隔する方向に漏斗状に先細になる（テーパ）導入部分１１と、この導入部分１１に続いて形成され滑らかな壁面を有する円筒状の第１チャネル部分１２を有する。
【００１３】
図２から更に分るとおり、ネジチャネル１０は、第１チャネル部分１２を延長することにより、ナット本体２に形成されかつこの実施例では製造の簡単化のために同様に滑らかな壁面を有し円筒状に形成された第２チャネル部分１３が、取付けナット１内に延在している。このため、図示の実施例では、ネジチャネル１０は、両側（両端部）において開放されている。
【００１４】
図２から更に分るとおり、本発明のこの（実施例の）装置は、ネジシャフト１５とネジヘッド１６とを備える固定ネジ１４を有する。ネジシャフト１５は、取付けナット１と調整ブッシュ５との間に形成されたネジ機構が有する第１ネジ方向とは反対の第２ネジ方向を有する雄ネジ１７を備えている。固定ネジ１４は、取付けナット１及び調整ブッシュ５の材料よりも硬い材料、例えば金属によって形成される。固定ネジ１４のネジシャフト１５の外径は、第１チャネル部分１２の内径よりも大きくかつ第２チャネル部分１３の内径よりも大きい。図２に示した状態では、固定ネジ１４のネジシャフト１５（の先端）は、第１チャネル部分１２に当接ないし係合（部分的に係合ないし嵌合）している。
【００１５】
本発明の装置の図面を参照して説明した実施例では、ナット本体２には、第２チャネル部分１３から軸方向に離隔するように延在し、図２の状態においてブッシュ本体６に形成された相補的な筒状リング受容部１９に安定的に嵌合している筒状（帯状）リング（Ringbund）１８が形成されている。
【００１６】
本発明の装置の図２に示した取付け前の状態では、取付けナット１のナット本体２は、支持部材２０の受容部（切欠凹部）に嵌め込まれている。この支持部材２０の受容部の内周（突出）縁は、取付け突出部４間に形成された自由空間３（複数）に嵌合（噛合）している。有利には、取付けナット１と支持部材２０との間の回動不能な結合は、力結合（Kraftschluss：関係部材の係合面間の摩擦力による結合）及び／又は形状結合（Formschluss：関係部材の係合面の輪郭形状間の（ありつぎ状の）嵌合による結合）によって達成される。
【００１７】
固定ネジ１４は、図２に示した取付け前状態では、支持部材２０と（所定の）間隔をおいて結合されるべき取付け部材２１に形成された切欠部（開口部）を貫通案内されており、ネジヘッド１６は、取付け部材２１から（所定の）間隔をおいて配置されている。
【００１８】
固定プロセスの開始に際し、固定ネジ１４は雄ネジ１７の第２ネジ方向に回転される。これによって、第１チャネル部分１２に、雌ネジ（内ネジ）が食込み生成（einformen）される。第１チャネル部分１２に雌ネジが食込み生成される際の抵抗が、調整ブッシュ５の雄ネジ８と取付けナット１の雌ネジ９との間の摩擦抵抗より大きい場合、調整ブッシュ５は、取付けナット１１から回転しながら自動的に引き出され、取付け部材２１の支持部材２０を指向する側に皿状当接部７が当接して、調整ブッシュ５の更なる軸方向運動が阻止されるまで引出される。その後、第１チャネル部分１２における雌ネジの食込み生成過程が進行する。
【００１９】
図３は、取付け完了状態（完全に取り付けられた状態）にある図１及び図２の実施例の縦断面図である。この取付け完了状態では、固定ネジ１４は、調整ブッシュ５に形成された第１チャネル部分１２にも取付けナット１に形成された第２チャネル部分１３にも同様に（更なる）雌ネジを食込み生成して螺合されている。取付け完了状態では、筒状（帯状）リング（Ringbund）１８は、未だ部分的にではあるが筒状リング受容部（Bundaufnahme）１９に安定的に嵌合している。このため、調整ブッシュ５は回転に対して確保され、取付け部材２１は支持部材２０から固定的な（所定の）間隔をおいて配置され、支持部材２０に結合される。
【図面の簡単な説明】
【００２０】
【図１】本発明の装置の一実施例の取付けナットと、該取付けナットを越えて突出した調整ブッシュの斜視図である。
【図２】取付け前の状態にある図１の実施例の縦断面図。この状態では、調整ブッシュは取付けナット内に完全に螺合しており、固定ネジ（の先端は）は調整ブッシュに当接（係合）している。
【図３】取付け完了状態にある図１及び図２の実施例の縦断面図。この状態では、固定ネジは、調整ブッシュにも取付けナットにも螺合されている。
【図１】
2008524517.tif 000003
【図２】
2008524517.tif 000004
【図３】
2008524517.tif 000005
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
取付け部材（２１）と支持部材（２０）とを互いに対し間隔をおいて固定するための装置であって、
前記支持部材（２０）に固定的に結合可能な、第１ネジ方向を有する雌ネジ（９）を備えた取付けナット（１）、
前記取付けナット（１）の前記雌ネジ（９）に適合された雄ネジ（８）を備え、前記取付けナット（１）内に螺合可能な間隔調整ブッシュ（以下「調整ブッシュ」という）（５）、及び
前記取付け部材（２１）と前記調整ブッシュ（５）とを結合するための、ネジシャフト（１５）を有する固定ネジ（１４）
を含み、
前記ネジシャフト（１５）は、前記第１ネジ方向と反対の第２ネジ方向を有する雄ネジ（１７）を備えると共に、前記取付けナット（１）を貫通するよう形成されかつ前記調整ブッシュ（５）内に形成されたネジチャネル（１０）内に導入可能であり、
前記固定ネジ（１４）は、前記調整ブッシュ（５）の材料よりも硬い材料によって形成され、及び
前記調整ブッシュ（５）は、前記ネジチャネル（１０）の一部を構成しかつ前記ネジシャフト（１５）の外径よりも小さい内径を有するチャネル部分（１２）を有することにより、前記固定ネジ（１４）の前記ネジシャフト（１５）の前記雄ネジ（１７）によって、前記調整ブッシュ（５）の前記チャネル部分（１２）に雌ネジが食込み生成可能である形式の装置において、
前記調整ブッシュ（５）は、プラスチックによって形成されること、及び
前記取付けナット（１）は、当該取付けナット（１）のチャネル部分（１３）から当該取付けナット（１）の雌ネジ（９）の領域に軸方向に延在する筒状リング（１８）を備え、該筒状リング（１８）は、前記取付けナット（１）と前記調整ブッシュ（５）とが螺合された状態において、該調整ブッシュ（５）に相補的に形成された筒状リング受容部（１９）に嵌合すること
を特徴とする装置。
【請求項２】
前記取付けナット（１）及び前記調整ブッシュ（５）は、前記ネジシャフト（１５）よりも軟らかいプラスチックによって形成され、及び前記ネジチャネル（１０）の一部を構成しかつ前記ネジシャフト（１５）の外径よりも小さい内径を有するチャネル部分（１３）を有することにより、前記固定ネジ（１４）の前記ネジシャフト（１５）の前記雄ネジ（１７）によって、前記取付けナット（１）の前記チャネル部分（１３）に雌ネジが食込み生成可能であること
を特徴とする請求項１に記載の装置。
【請求項３】
前記２つのチャネル部分（１２．１３）は、壁が滑らかに構成されていること
を特徴とする請求項２に記載の装置。
【請求項４】
前記取付けナット（１）から離隔する側を指向する前記調整ブッシュ（５）の端部に皿状当接部（７）が形成され、該皿状当接部（７）は、少なくとも部分的に半径方向に前記調整ブッシュ（５）の前記雄ネジ（８）を越えて突出していること
を特徴とする請求項１〜３の何れか一項に記載の装置。
【請求項５】
前記取付けナット（１）には、半径方向外方に延在する複数の取付け突出部（４）が形成されていること
を特徴とする請求項１〜４の何れか一項に記載の装置。
【手続補正書】
【提出日】平成19年8月31日(2007.8.31)
【手続補正１】
【補正対象書類名】明細書
【補正対象項目名】０００１
【補正方法】変更
【補正の内容】
【０００１】
本発明は、請求項１の上位概念による装置に関する。即ち、本発明は、取付け部材と支持部材とを互いに対し間隔をおいて固定するための装置であって、前記支持部材に固定的に結合可能な、第１ネジ方向を有する雌ネジを備えた取付けナット、前記取付けナットの前記雌ネジに適合された雄ネジを備え、前記取付けナット内に螺合可能な間隔調整ブッシュ（以下「調整ブッシュ」という）、及び前記取付け部材と前記調整ブッシュとを結合するための、ネジシャフトを有する固定ネジを含み、前記ネジシャフトは、前記第１ネジ方向と反対の第２ネジ方向を有する雄ネジを備えると共に、前記取付けナットを貫通するよう形成されかつ前記調整ブッシュ内に形成されたネジチャネル内に導入可能であり、前記固定ネジは、前記調整ブッシュの材料よりも硬い材料によって形成され、及び前記調整ブッシュは、前記ネジチャネルの一部を構成しかつ前記ネジシャフトの外径よりも小さい内径を有するチャネル部分を有することにより、前記固定ネジの前記ネジシャフトの前記雄ネジによって、前記調整ブッシュの前記チャネル部分に雌ネジが食込み生成可能である形式の装置に関する。
【手続補正２】
【補正対象書類名】明細書
【補正対象項目名】０００２
【補正方法】変更
【補正の内容】
【０００２】
この種の装置は、ＤＥ２０１１９１１２Ｕ１から既知である。この既知の装置は、支持部材と固定的に結合可能な取付けナットを有し、取付けナットは、その第１部分に、第１ネジ方向（ネジの回転方向ないしネジ山のラセンの方向）を有する（第１の）雌ネジを備え、その第２部分に、該第１ネジ方向とは反対方向の第２ネジ方向を有する第２の雌ネジを備えている。更に、この既知の装置は、（間隔）調整ブッシュを有し、該調整ブッシュは、取付けナットの第１の雌ネジに対し相補的に構成され、前記第１ネジ方向を有する雄ネジを備えているため、調整ブッシュは、取付けナットの第１の雌ネジに螺合することができる。調整ブッシュは、その取付けナットから離隔する側の端部に駆動手段を備えているため、調整ブッシュは、軸方向に取付けナットを越えて所定の長さだけ突出することができる。更に、取付け部材と調整ブッシュとを固定するために、固定ネジが設けられており、この固定ネジは、前記第２ネジ方向を有する雄ネジを備えかつ取付けナットの第２の雌ネジに対し相補的に構成されたネジシャフトを、調整ブッシュのネジチャネルを貫通させて、取付けナットの第２の雌ネジに螺合することができる。さらに他の特許文献２がある。
【特許文献１】ＤＥ２０１１９１１２Ｕ１
【特許文献２】ＵＳ６，３５７，９５３Ｂ１
【手続補正３】
【補正対象書類名】明細書
【補正対象項目名】０００５
【補正方法】変更
【補正の内容】
【０００５】
上記の課題は、本発明の一視点により、冒頭に述べた形式の装置において、請求項１の特徴部の特徴によって解決される。即ち、本発明の一視点によれば、前記調整ブッシュは、プラスチックによって形成されること、及び前記取付けナットは、当該取付けナットのチャネル部分から当該取付けナットの雌ネジの領域に軸方向に延在する筒状リングを備え、該筒状リングは、前記取付けナットと前記調整ブッシュとが螺合された状態において、該調整ブッシュに相補的に形成された筒状リング受容部に嵌合することを特徴とする。（基本形態）
なお、特許請求の範囲に付記した図面参照符号は専ら理解を助けるためのものであり、図示の態様に限定することを意図するものではない。
【手続補正４】
【補正対象書類名】明細書
【補正対象項目名】０００７
【補正方法】変更
【補正の内容】
【０００７】
本発明の更なる有利な実施形態は従属請求項の対象である。以下、有利な実施形態について示す。
前記取付けナット及び前記調整ブッシュは、前記ネジシャフトよりも軟らかいプラスチックによって形成され、及び前記ネジチャネルの一部を構成しかつ前記ネジシャフトの外径よりも小さい内径を有するチャネル部分を有することにより、前記固定ネジの前記ネジシャフトの前記雄ネジによって、前記取付けナットの前記チャネル部分に雌ネジが食込み生成可能であることが好ましい。（形態２）
前記２つのチャネル部分は、壁が滑らかに構成されていることが好ましい。（形態３）
前記取付けナットから離隔する側を指向する前記調整ブッシュの端部に皿状当接部が形成され、該皿状当接部は、少なくとも部分的に半径方向に前記調整ブッシュの前記雄ネジを越えて突出していることが好ましい。（形態４）
前記取付けナットには、半径方向外方に延在する複数の取付け突出部が形成されていることが好ましい。（形態５）
【国際調査報告】
2008524517.tif 000006
2008524517.tif 000007
2008524517.tif 000008
2008524517.tif 000009